(57)【要約】【課題】シャッタボックスの取付作業が容易で、取付所要時間を短縮できて、作業安全性の良好なシャッタボックスの取付構造を提供する。【解決手段】建物壁９９に設けられた壁ブラケット３にシャッタボックス２を取り付ける構造であって、壁ブラケット３は、建物壁９９から離れるにつれて高くなる案内側傾斜部３２２を有し、シャッタボックス２は、案内側傾斜部３２２に案内される係止部を有し、係止部が案内側傾斜部３２２に案内されつつ相対移動すると、シャッタボックス２が建物壁９９の方向へ引き寄せられて壁ブラケット３に係止される。シャッタボックス２は、係止部として案内側傾斜部３２２に面接触可能な係止側傾斜部４２を有することが好ましい。【選択図】図４
2015117556.tif 000002
【特許請求の範囲】
【請求項１】
建物壁に設けられた壁ブラケットに、シャッタカーテンを内部に巻き取り可能なシャッタボックスを取り付ける構造であって、
前記壁ブラケットおよび前記シャッタボックスの一方は、前記建物壁から離れるにつれて高くなる案内側傾斜部を有し、
前記壁ブラケットおよび前記シャッタボックスの他方は、前記案内側傾斜部に案内される係止部を有し、
前記係止部が前記案内側傾斜部に案内されつつ相対移動すると、前記シャッタボックスが前記建物壁の方向へ引き寄せられて前記壁ブラケットに係止されるシャッタボックスの取付構造。
【請求項２】
前記壁ブラケットは、上面が前記建物壁から離れるにつれて高くなる前記案内側傾斜部を有し、
前記シャッタボックスは、前記係止部として前記案内側傾斜部に面接触可能な係止側傾斜部を有する請求項１に記載のシャッタボックスの取付構造。
【請求項３】
前記壁ブラケットは被係合部を有し、前記シャッタボックスは係合部を有し、
前記係止部が前記案内側傾斜部に案内されるときに、前記被係合部と前記係合部とが係合して前記シャッタボックスの前記壁ブラケットからの離脱を規制する請求項１または２に記載のシャッタボックスの取付構造。
【請求項４】
前記壁ブラケットは、前記案内側傾斜部の下端から前記建物壁の方向に水平に延在して前記係止側傾斜部の下端を支承可能な案内側水平部を有する請求項２または３に記載のシャッタボックスの取付構造。
【請求項５】
前記シャッタボックスは、前記係止側傾斜部の下端から前記建物壁の方向に水平に延在して前記案内側水平部に当接可能な係止側水平部を有する請求項４に記載のシャッタボックスの取付構造。
【請求項６】
前記シャッタボックスは、前記係止側傾斜部の上端に連なって上向きに窪み、前記案内側傾斜部の上端が係入可能な凹部を有する請求項２〜５のいずれか一項に記載のシャッタボックスの取付構造。
【請求項７】
前記壁ブラケットは前記建物壁から離れる方向に延在する腕部を有し、前記腕部は前記被係合部をもちかつ前記シャッタボックスの荷重の少なくとも一部を支承する請求項３〜６のいずれか一項に記載のシャッタボックスの取付構造。
【請求項８】
前記被係合部と前記係合部とは、前記建物壁と直交する方向に相対変位可能に係合する請求項３〜７のいずれか一項に記載のシャッタボックスの取付構造。
【請求項９】
前記被係合部および前記係合部の一方は、前記建物壁と直交する方向に長くかつ上下方向に開口する長孔をもつ孔形成部であり、前記被係合部および前記係合部の他方は、前記長孔に遊動可能に係入する凸部である請求項８に記載のシャッタボックスの取付構造。
【請求項１０】
前記シャッタボックスを構成するアングル部材が前記係合部を兼ねており、
前記被係合部は、前記建物壁から離れる方向に延在して前記アングル部材の下側に配置可能であるとともに、その先端が屈曲されて前記アングル部材の離脱を防止する離脱防止部になっている請求項８に記載のシャッタボックスの取付構造。
【発明の詳細な説明】
【技術分野】
【０００１】
本発明は、建物壁に設けられた壁ブラケットに、シャッタカーテンを内部に巻き取り可能なシャッタボックスを取り付ける構造に関する。
【背景技術】
【０００２】
シャッタカーテンを内部に巻き取り可能なシャッタボックスを備えたシャッタ装置が従来から知られている。この種のシャッタ装置では、取付箇所となる建物壁に壁ブラケットを設け、壁ブラケットにシャッタボックスを取り付ける作業を行うのが一般的になっている。シャッタボックスは重量物であるので、取付作業は複数の作業者で行う場合が多く、さらにクレーンを利用する場合も多い。取付作業における作業者の負担を軽減しつつ取付所要時間を短縮し、かつ作業安全性を確保するために、各種のシャッタボックスの取付構造の発明が開示されている。
【０００３】
特許文献１に開示されたシャッタボックスの取付構造は、取り付け対象部位に設けられる支持部材（壁ブラケット）と、シャッタが巻き取られて収納されるボックス本体（シャッタボックス）とを備える。さらに、支持部材は仮付け部を備え、ボックス本体はフック部を備えたことを特徴としている。支持部材は、ボックス本体を一時的に引っ掛けて支持するとともに、支持したボックス本体のほぼ水平方向の移動を許容する。フック部は、仮付け部に引っ掛かってボックス本体を支持するとともに、ほぼ水平方向に移動できる。これにより、ボックス本体は、支持部材に引っ掛けて水平方向に押し込むことで取り付けられるため、取付作業性が大幅に向上する、とされている。
【先行技術文献】
【特許文献】
【０００４】
【特許文献１】特開２０００−１２０３５７４号公報
【発明の概要】
【発明が解決しようとする課題】
【０００５】
ところで、特許文献１の取付構造は、ボックス本体の左右にそれぞれフック部を備え、仮付け部を備えた支持部材が取り付け対象部位の左右２箇所に設けられている。このため、左右で押し込むタイミングが崩れるとボックス本体が斜行し、フック部と仮付け部との間がこじれて変形してしまう。したがって、左右で押し込むタイミングを揃えてボックス本体を真っ直ぐに押し込むようにしないと、以降の位置合わせ作業や締結固定作業が行えない。
【０００６】
また、特許文献１の実施形態の説明によれば、押し込んだボックス本体が抜け出ないように、フック部に嵌合孔が設けられ、仮付け部に係止爪が設けられている。この実施形態では、支持部材にボックス本体を押し込む途中で、フック部が係止爪を乗り越えることにより嵌合孔と係止爪とが嵌合する。したがって、ボックス本体を押し込みながら押し上げるために大きな力が必要となる。このように取付作業が煩わしく、取付所要時間が長引きがちであるので、ボックス本体を誤って落下させてしまうおそれが増大する。
【０００７】
本発明は、上記背景技術の問題点に鑑みてなされたものであり、シャッタボックスの取付作業が容易で、取付所要時間を短縮できて、作業安全性の良好なシャッタボックスの取付構造を提供することを解決すべき課題とする。
【課題を解決するための手段】
【０００８】
本発明のシャッタボックスの取付構造は、建物壁に設けられた壁ブラケットに、シャッタカーテンを内部に巻き取り可能なシャッタボックスを取り付ける構造であって、前記壁ブラケットおよび前記シャッタボックスの一方は、前記建物壁から離れるにつれて高くなる案内側傾斜部を有し、前記壁ブラケットおよび前記シャッタボックスの他方は、前記案内側傾斜部に案内される係止部を有し、前記係止部が前記案内側傾斜部に案内されつつ相対移動すると、前記シャッタボックスが前記建物壁の方向へ引き寄せられて前記壁ブラケットに係止される。
【０００９】
これによれば、係止部が案内側傾斜部に案内されると、シャッタボックスは、自重により斜め下方に案内されて建物壁の方向へ引き寄せられる。そして、シャッタボックスは、壁ブラケット上の所定の取付位置に係止される。それゆえ、シャッタボックスを壁ブラケットに取り付ける途中で、シャッタボックスを押し上げる必要がない。また、シャッタボックスの左右で、取り付けのタイミングが多少ずれても支障は生じない。したがって、シャッタボックスのサイズや取付位置の高さに関係なく、取付作業が容易であり、取付所要時間が短縮される。また、取付位置が高所であっても、シャッタボックスが壁ブラケットに係止された状態で固定作業を行えるので、作業安全性が良好である。
【００１０】
さらに、前記壁ブラケットは、上面が前記建物壁から離れるにつれて高くなる案内側傾斜部を有し、前記シャッタボックスは、前記係止部として前記案内側傾斜部に面接触可能な係止側傾斜部を有することが好ましい。
【００１１】
これによれば、係止側傾斜部が案内側傾斜部に面接触して滑りながら案内されるので、シャッタボックスが所定の取付位置へとスムーズに案内される。したがって、取付作業がさらに一層容易になり、かつ取付所要時間がさらに一層短縮される。
【００１２】
さらに、前記壁ブラケットは被係合部を有し、前記シャッタボックスは係合部を有し、前記係止部が前記案内側傾斜部に案内されるときに、前記被係合部と前記係合部とが係合して前記シャッタボックスの前記壁ブラケットからの離脱を規制することが好ましい。
【００１３】
これによれば、被係合部と係合部との係合によりシャッタボックスの落下を防止できるので、作業安全性が良好である。また、被係合部と係合部との係合により、壁ブラケットに対するシャッタボックスの位置決めも容易になる。
【００１４】
また、前記壁ブラケットは、前記案内側傾斜部の下端から前記建物壁の方向に水平に延在して前記係止側傾斜部の下端を支承可能な案内側水平部を有してもよい。
【００１５】
これによれば、壁ブラケットにシャッタボックスを取り付けた後に、シャッタボックスの荷重の一部は、係止側傾斜部と案内側水平部との接触によって上下方向に支承され、建物壁に作用する横向きの押圧力が低減される。したがって、建物壁を損傷するおそれが低減される。
【００１６】
また、前記シャッタボックスは、前記係止側傾斜部の下端から前記建物壁の方向に水平に延在して前記案内側水平部に当接可能な係止側水平部を有してもよい。
【００１７】
これによれば、壁ブラケットにシャッタボックスを取り付けた後に、シャッタボックスの荷重の一部は、係止側水平部と案内側水平部との面接触によって上下方向に支承され、建物壁に作用する横向きの押圧力がさらに低減される。したがって、建物壁を損傷するおそれがさらに低減される。
【００１８】
また、前記シャッタボックスは、前記係止側傾斜部の上端に連なって上向きに窪み、前記案内側傾斜部の上端が係入可能な凹部を有してもよい。
【００１９】
これによれば、係止側傾斜部と案内側傾斜部とが面接触するときに、案内側傾斜部が凹部に入り込む余地が生じて、寸法上の余裕が拡がる。したがって、シャッタボックスを取付位置へ案内する際に、部材寸法の製造誤差の影響を受けない。さらには、部材の寸法精度を緩和できる。また、案内側傾斜部の上端が凹部に係入した状態でシャッタボックスが保持されるので、シャッタボックスと建物壁との間に隙間を確保できる。したがって、シャッタボックスは建物壁に横向きの押圧力を及ぼさず、建物壁を損傷するおそれが殆ど無くなる。
【００２０】
さらに、前記壁ブラケットは前記建物壁から離れる方向に延在する腕部を有し、前記腕部は前記被係合部をもちかつ前記シャッタボックスの荷重の少なくとも一部を支承するようにしてもよい。
【００２１】
これによれば、腕部は、被係合部と荷重支承部とを兼ねることができる。したがって、壁ブラケットの構造が簡素化される。
【００２２】
また、前記被係合部と前記係合部とは、前記建物壁と直交する方向に相対変位可能に係合することが好ましい。
【００２３】
これによれば、係止部が案内側傾斜部に案内されるときに、被係合部と係合部とが遊動して相対変位可能に係合する。したがって、シャッタボックスの姿勢に自由度を残しつつ落下を防止できて、取付作業が楽になる。
【００２４】
さらに、前記被係合部および前記係合部の一方は、前記建物壁と直交する方向に長くかつ上下方向に開口する長孔をもつ孔形成部であり、前記被係合部および前記係合部の他方は、前記長孔に遊動可能に係入する凸部であってもよい。
【００２５】
これによれば、長孔に凸部が係入するという確実な方法でシャッタボックスの落下を防止できるので、作業安全性がさらに一層向上する。
【００２６】
あるいは、前記シャッタボックスを構成するアングル部材が前記係合部を兼ねており、前記被係合部は、前記建物壁から離れる方向に延在して前記アングル部材の下側に配置可能であるとともに、その先端が屈曲されて前記アングル部材の離脱を防止する離脱防止部になっていてもよい。
【００２７】
これによれば、アングル部材は被係合部の上側に配置され、離脱防止部によって離脱が防止される。したがって、シャッタボックスの落下を確実に防止でき、作業安全性がさらに一層向上する。また、シャッタボックスが有する係合部として専用の部材が不要となるので、シャッタボックスの構造が簡素化される。
【図面の簡単な説明】
【００２８】
【図１】第１実施形態を実施するシャッタ装置の全体構成の概要を示す斜視図である。
【図２】第１実施形態のシャッタボックスの取付構造の取り付け前の状態を示す左側面図である。
【図３】図２と同じ状態を示す部分平面図である。
【図４】シャッタボックスを壁ブラケットに載せた状態を示す左側面図である。
【図５】図４と同じ状態を示す部分平面図である。
【図６】シャッタボックスが所定の取付位置に案内された状態を示す左側面図である。
【図７】図６と同じ状態を示す部分平面図である。
【図８】第２実施形態で、シャッタボックスを壁ブラケットに載せた状態を示す左側面図である。
【図９】第２実施形態で、シャッタボックスが所定の取付位置に案内された状態を示す左側面図である。
【図１０】第３実施形態のシャッタボックスの取付構造で、シャッタボックスを壁ブラケットに載せた状態を示す左側面図である。
【図１１】第４実施形態のシャッタボックスの取付構造で、シャッタボックスを壁ブラケットに載せた状態を示す左側面図である。
【図１２】第５実施形態のシャッタボックスの取付構造を模式的に示す左側面図である。
【図１３】第６実施形態のシャッタボックスの取付構造を模式的に示す左側面図である。
【図１４】第７実施形態のシャッタボックスの取付構造を模式的に示す左側面図である。
【発明を実施するための形態】
【００２９】
本発明を実施するための第１実施形態のシャッタボックスの取り付け構造について、図１〜図７を参考にして説明する。まず、シャッタ装置９の全体構成の概要について説明する。図１は、第１実施形態を実施するシャッタ装置９の全体構成の概要を示す斜視図である。シャッタ装置１は、建物の外壁である建物壁９９に形成された出入口などを開閉する目的で設けられる。シャッタ装置９は、シャッタカーテン９１、シャッタボックス２、および一対のガイドレール９２、９３などで構成されている。図1には、シャッタカーテン９１の大部分がシャッタボックス２から下方に引き出された状態が例示されている。
【００３０】
シャッタボックス２は、左右一対のサイドブラケット２１、２２、第１〜第３アングル部材２６〜２８（図２以降に示す）、正面カバー２３、巻取軸２４、および電動駆動装置２５などで構成されている。左右一対のサイドブラケット２１、２２は、略板状の部材であり、シャッタカーテン９１の幅寸法よりも広めの間隔で離隔平行配置される。図１には見えない３本の第１〜第３アングル部材２６〜２８は、左右方向に延在して左右のサイドブラケット２１、２２を結合している。
【００３１】
正面カバー２３は、シャッタボックス２の上面、正面、および底面の前側の一部を構成するように薄板材が折り曲げられて形成されている。正面カバー２３は、左右のサイドブラケット２１、２２の間に架け渡され、かつ第１〜第３アングル部材２６〜２８の外側に配置される。左右のサイドブラケット２１、２２、正面カバー２３、および裏面側の建物壁９９などにより、シャッタボックス２の内部空間が区画される。
【００３２】
巻取軸２４は、左右方向に延在する筒状の回転軸であり、シャッタボックス２の内部空間に配置されている。巻取軸２４は、左右のサイドブラケット２１、２２によって回動可能に支承されている。電動駆動装置２５は、巻取軸２４の筒状の内部に配置され、図１の左側のサイドブラケット２１に固設されている。電動駆動装置２５は、正転および逆転の切り替えが可能なモータを有し、巻取軸２４の内周面を正転駆動および逆転駆動する。
【００３３】
シャッタカーテン９１は、展開状態で略矩形となる巻き取り可能な部材である。シャッタカーテン９１は、上側の一辺が巻取軸２４の外周面に係止されている。これにより、電動駆動装置２５が巻取軸２４を正転駆動すると、シャッタカーテン９１が巻取軸２４の外周に巻き取られる。逆に、電動駆動装置２５が巻取軸２４を逆転駆動すると、シャッタカーテン９１がシャッタボックス２から下方に引き出されて展開される。
【００３４】
一対のガイドレール９２、９３は、左右のサイドブラケット２１、２２の下方に配置されている。一対のガイドレール９２、９３は、建物壁９９の出入口などの開口の左右両側に離隔平行して立設される。一対のガイドレール９２、９３は、シャッタカーテン９１の左右２辺の上下動を案内する。一対のガイドレール９２、９３の下端を連結するように、下枠９４が設けられている。
【００３５】
上述したシャッタ装置９を建物壁９９に設置するために、第１実施形態のシャッタボックスの取付構造１を用いる。図２は、第１実施形態のシャッタボックスの取付構造１の取り付け前の状態を示す左側面図である。また、図３は、図２と同じ状態を示す部分平面図である。第１実施形態において、左右一対の壁ブラケット３を建物壁９９に設ける。そして、シャッタボックス２の左右のサイドブラケット２１、２２を、左右の壁ブラケット３にそれぞれ取り付ける。左右のサイドブラケット２１、２２および壁ブラケット３は、相互に鏡面対称形状（勝手違いの同一形状）であるので、主に図１の左側のサイドブラケット２１および壁ブラケット３について説明する。
【００３６】
壁ブラケット３は、鉄やアルミニウムなどの金属製板材に切削加工や曲げ加工が施されて構成されている。壁ブラケット３は、取付板部３１、被係止部３２、および腕部３３からなる。取付板部３１は、平板状の部位である。取付板部３１は、建物壁９９に面接触するように図略の固定部材を用いて固設される。
【００３７】
被係止部３２は、取付板部３１の下側に連なる金属製板材の幅方向の長さＬ１（図３示）の部位が曲げ加工されて形成されている。被係止部３２は、案内側水平部３２１、案内側傾斜部３２２、および垂直下降部３２３からなる。案内側水平部３２１は、取付板部３１の下端に連なり、建物壁９９から離れる前方に水平に折り曲げられた形状に形成されている。案内側水平部３２１の前端に連なって案内側傾斜部３２２が形成されている。案内側傾斜部３２２は、建物壁９９から離れる前方に向かって次第に上面が高く傾斜している。案内側傾斜部３２２の前上端に連なって垂直下降部３２３が形成されている。垂直下降部３２３は、垂直下方に向かって延在している。
【００３８】
腕部３３は、金属製板材の一部が取付板部３１に対して９０°曲げ加工されて形成されている。腕部３３は、取付板部３１の上部寄りに連なり、建物壁９９から離れる前方に向かって延在している。図３の部分平面図でわかるように、腕部３３は、シャッタ装置９の幅方向において被係止部３２よりも外側に配置される。腕部３３の垂直方向の幅Ｗ１（図２示）は、取付板部３１に近い基部側で大きく、前方に向かう途中で徐減し、前方側で小さくなっている。
【００３９】
腕部３３の上面３３１の前寄りには、上方に突出する凸部３３２が設けられている。凸部３３２の形状は、隅に丸みを有する矩形とされており、これに限定されない。凸部３３２は、本発明の被係合部に相当する。腕部３３の前端は、シャッタ装置９の幅方向の外側に屈曲されて被固定部３３３となっている。被固定部３３３には、前後方向に貫通する固定用雌ねじ３３４が穿設されている。
【００４０】
図２に示されるように、シャッタボックス２のサイドブラケット２１は、鉄やアルミニウムなどの金属製板材に切削加工や曲げ加工が施されて構成されている。サイドブラケット２１の略中央の内側（図２の紙面奥側）には、巻取軸２４を支承しかつ電動駆動装置２５を固設する支持座２１１が設けられている。サイドブラケット２１の上縁２１２は、若干傾斜して前側で低く、後側で高くなっている。サイドブラケット２１の下縁２１３は、段差を有して前側で低く、後側で高くなっている。サイドブラケット２１の後縁２１４および前縁２１５は鉛直方向に延びている。サイドブラケット２１の上縁２１２の後方および前方、ならびに下縁２１３の前方寄りの段差の低い位置に、それぞれ２個ずつアングル固定孔２１６、２１７、２１８が設けられている。各アングル固定孔２１６、２１７、２１８を用いて、第１〜第３アングル部材２６〜２８がサイドブラケット２１に結合されている。
【００４１】
サイドブラケット２１の下縁２１３の段差の高い位置の後方寄りに、係止部４が形成されている。係止部４は、前方から後方に並んで形成された凹部４１、係止側傾斜部４２、および係止側水平部４３からなる。凹部４１は、サイドブラケット２１の下縁２１３が上向きに窪んで形成されている。凹部４１の窪みの形状は、隅に丸みを有する矩形とされているが、これに限定されない。凹部４１の後端に連なって係止側傾斜部４２が形成されている。係止側傾斜部４２は、建物壁９９に近づく後方に向かって次第に下縁２１３が低く傾斜している。係止側傾斜部４２の傾斜角度は、壁ブラケット３の案内側傾斜部３２２の傾斜角度に一致している。
【００４２】
係止側傾斜部４２の後下端に連なって係止側水平部４３が形成されている。係止側水平部４３は、建物壁９９に近づく後方に向かって下縁２１３が水平になっている。係止側水平部４３の前後方向の長さは、壁ブラケット３の案内側水平部３２１の前後方向の長さよりも小とされている。係止側水平部４３の後端は、後縁２１４の下端に連なっている。
【００４３】
サイドブラケット２１の上部後方寄りの位置、換言するとアングル固定孔２１６の下側位置に、孔形成部５が形成されている。孔形成部５は、サイドブラケット２１を構成する金属製板材に切り起こし加工を施して形成される。切り起こし加工で、金属製板材にコ字状の３辺の切り込みが入れられ、切り込まれた部位が９０°だけ曲げ加工されて起立する。孔形成部５は、図２および図３に示されるように、概ね水平方向に延在する。孔形成部５には、建物壁９９と直交する前後方向に長くかつ上下方向に開口する長孔５１が穿設されている。孔形成部５は、本発明の係合部に相当する。
【００４４】
サイドブラケット２１の孔形成部５の前側位置に、固定部６が形成されている。固定部６も、孔形成部５と同様の切り起こし加工により形成される。固定部６は、図２および図３に示されるように、概ね鉛直方向に延在する。固定部６には、前後方向に貫通して固定ねじ６２（図７示）の挿通を許容する固定孔６１が穿設されている。なお、孔形成部５および固定部６を形成することにより、金属製板材に切り起こし孔５９、６９が残るが、サイドブラケット２１の機械的な強度は十分に保たれる。
【００４５】
次に、壁ブラケット３にシャッタボックス２を取り付ける手順について説明する。図４は、シャッタボックス２を壁ブラケット３に載せた状態を示す左側面図であり、図５は、図４と同じ状態を示す部分平面図である。また、図６は、シャッタボックス２が所定の取付位置に案内された状態を示す左側面図であり、図７は、図６と同じ状態を示す部分平面図である。シャッタボックス２の取り付けに先立ち、建物壁９９に左右一対の壁ブラケット３をあらかじめ設けておく。壁ブラケット３は、建物壁９９の表面に直接的に固設されてもよく、建物壁９９の内部の高い剛性を有する鉄骨などの下地に固設されてもよい。
【００４６】
作業者は、人力でまたはクレーンを利用して、シャッタボックス２を概ね水平姿勢に保ちつつ、左右の壁ブラケット３の間に前側の斜め上方から接近させる（図２の矢印Ｐ１示および図３の矢印Ｐ２示）。これにより、図４に示されるように、壁ブラケット３の案内側傾斜部３２２にシャッタボックス２のサイドブラケット２１の係止側傾斜部４２を載せることができる。同時に、壁ブラケット３の腕部３３の凸部３３２を、サイドブラケット２１の孔形成部５の長孔５１に下側から係入させることができる。係止側傾斜部４２が載るタイミングと凸部３３２が係入するタイミングとの間に、時間的な前後関係の厳密性は必要でない。
【００４７】
ここで、凸部３３２は、長孔５１の内部で建物壁９９と直交する前後方向に遊動して相対変位可能であるので、シャッタボックス２の姿勢には自由度がある。なおかつ、凸部３３２が長孔５１から抜け出すことは無いので、シャッタボックス２の落下を防止できる。そして、図４の状態でシャッタボックス２の荷重は、係止側傾斜部４２から案内側傾斜部３２２に作用する。これにより、係止側傾斜部４２は、案内側傾斜部３２２の上面を斜め下方に滑動する。したがって、シャッタボックス２は、自重により斜め下方に案内されて建物壁９９の方向へ引き寄せられる。このとき、係止側傾斜部４２の滑動のタイミングが左右のサイドブラケット２１、２１でずれても、支障は生じない。
【００４８】
この結果、図６および図７に示されるように、シャッタボックス２は、所定の取付位置まで案内される。所定の取付位置で、係止側傾斜部４２と案内側傾斜部３２２とは広い面積で接触し、係止側水平部４３と案内側水平部３２１とは面接触する。また、案内側傾斜部３２２の上端が凹部４１に係入するので、シャッタボックス２は、取付位置に保持されて建物壁９９に向かう移動が規制される。これにより、シャッタボックス２と壁ブラケット３との間に間隙Ｇが確保される。
【００４９】
一方、凸部３３２は、長孔５１内を前側寄りへと相対移動する。そして、壁ブラケット３の腕部３３の上面３３１に、シャッタボックス２のサイドブラケット２１の孔形成部５の下面が載置される。また、腕部３３の被固定部３３３と、サイドブラケット２１の固定部６とが前後方向に当接して取付位置が定まる。この後、図７に矢印Ｑで示されるように、固定ねじ６２を固定部６の固定孔６１から挿入して、被固定部３３３の固定雌ねじ３３４に締結する固定作業を行う。これにより、シャッタボックス２は、最終的に取付位置に固定される。
【００５０】
最終的な取り付け状態において、シャッタボックス２の荷重は、壁ブラケット３の案内側傾斜部３２２および案内側水平部３２１と、腕部３３の上面３３１および固定雌ねじ３３４とに分担されて支承される。この荷重分担の比率は、特に限定されない。また、前述したようにシャッタボックス２と壁ブラケット３との間に間隙Ｇが確保されており、換言すればシャッタボックス２と建物壁９９との間に隙間があり、シャッタボックス２は建物壁９９に横向きの押圧力を及ぼさない。
【００５１】
第１実施形態のシャッタボックスの取付構造１は、建物壁９９に設けられた壁ブラケット３に、シャッタカーテン９１を内部に巻き取り可能なシャッタボックス２を取り付ける構造であって、壁ブラケット３は、建物壁９９から離れるにつれて高くなる案内側傾斜部３２２を有し、シャッタボックス２のサイドブラケット２１は、案内側傾斜部３２２に案内される係止側傾斜部４２を有し、係止側傾斜部４２が案内側傾斜部３２２に案内されつつ相対移動すると、シャッタボックス２が建物壁９９の方向へ引き寄せられて壁ブラケット３に係止される。
【００５２】
これによれば、係止側傾斜部４２が案内側傾斜部３２２に案内されると、シャッタボックス２は、自重により斜め下方に案内されて建物壁９９の方向へ引き寄せられる。そして、シャッタボックス２は、壁ブラケット３上の所定の取付位置に係止される。それゆえ、シャッタボックス２を壁ブラケット３に取り付ける途中で、シャッタボックス２を押し上げる必要がない。また、シャッタボックス２の左右で、取り付けのタイミングが多少ずれても支障は生じない。したがって、シャッタボックス２のサイズや取付位置の高さに関係なく、取付作業が容易であり、取付所要時間が短縮される。また、取付位置が高所であっても、シャッタボックス２が壁ブラケット３に係止された状態で固定作業を行えるので、作業安全性が良好である。
【００５３】
さらに、壁ブラケット３は、上面が建物壁９９から離れるにつれて高くなる案内側傾斜部３２２を有し、シャッタボックス２のサイドブラケット２１は、係止部として案内側傾斜部３２２に面接触可能な係止側傾斜部４２を有する。
【００５４】
これによれば、係止側傾斜部４２が案内側傾斜部３２２に面接触して滑りながら案内されるので、シャッタボックス２が所定の取付位置へとスムーズに案内される。したがって、取付作業がさらに一層容易になり、かつ取付所要時間がさらに一層短縮される。
【００５５】
さらに、壁ブラケット３は被係合部となる凸部３３２を有し、シャッタボックス２のサイドブラケット２１は係合部となる孔形成部５を有し、係止側傾斜部４２が案内側傾斜部３２２に案内されるときに、凸部３３２と孔形成部５の長孔５１とが係合してシャッタボックス２の壁ブラケット３からの離脱を規制する。
【００５６】
これによれば、凸部３３２と孔形成部５の長孔５１との係合によりシャッタボックス２の落下を防止できるので、作業安全性が向上する。また、凸部３３２と孔形成部５の長孔５１との係合により、壁ブラケット３に対するシャッタボックス２の位置決めも容易になる。
【００５７】
また、壁ブラケット３は、案内側傾斜部３２２の下端から建物壁９９の方向に水平に延在して係止側傾斜部４２の下端を支承可能な案内側水平部３２１を有する。また、シャッタボックス２のサイドブラケット２１は、係止側傾斜部４２の下端から建物壁９９の方向に水平に延在して案内側水平部３２１に当接可能な係止側水平部４３を有する。
【００５８】
これによれば、壁ブラケット３にシャッタボックス２を取り付けた後に、シャッタボックス２の荷重の一部は、係止側水平部４３と案内側水平部３２１との面接触によって上下方向に支承され、建物壁９９に作用する横向きの押圧力が低減される。したがって、建物壁９９を損傷するおそれが低減される。
【００５９】
また、シャッタボックス２のサイドブラケット２１は、係止側傾斜部４２の上端に連なって上向きに窪み、案内側傾斜部３２２の上端が係入可能な凹部４１を有する。
【００６０】
これによれば、係止側傾斜部４２と案内側傾斜部３２２とが面接触するときに、案内側傾斜部３２２が凹部４１に入り込む余地が生じて、寸法上の余裕が拡がる。したがって、シャッタボックス２を取付位置へ案内する際に、部材寸法の製造誤差の影響を受けない。さらには、部材の寸法精度を緩和できる。また、案内側傾斜部３２２の上端が凹部４１に係入した状態でシャッタボックス２が保持されるので、シャッタボックス２と建物壁９９との間に隙間を確保できる。したがって、シャッタボックス２は建物壁９９に横向きの押圧力を及ぼさず、建物壁９９を損傷するおそれが殆ど無くなる。
【００６１】
さらに、壁ブラケット３は建物壁９９から離れる方向に延在する腕部３３を有し、腕部３３は凸部３３２をもちかつシャッタボックス２の荷重の少なくとも一部を支承する。
【００６２】
これによれば、腕部３３は、被係合部と荷重支承部とを兼ねることができる。したがって、壁ブラケット３の構造が簡素化される。
【００６３】
また、凸部３３２と孔形成部５の長孔５１とは、建物壁９９と直交する前後方向に相対変位可能に係合する。
【００６４】
これによれば、係止側傾斜部４２が案内側傾斜部３２２に案内されるときに、凸部３３２と孔形成部５の長孔５１とが遊動して相対変位可能に係合する。したがって、シャッタボックス２の姿勢に自由度を残しつつ落下を防止できて、取付作業が楽になる。さらには、長孔５１に凸部３３２が係入するという確実な方法でシャッタボックス２の落下を防止できるので、作業安全性がさらに一層向上する。
【００６５】
次に、第２実施形態のシャッタボックスの取付構造１Ａについて、第１実施形態と異なる点を主に説明する。第２実施形態において、シャッタ装置９の全体構成は第１実施形態に類似し、壁ブラケット３Ａおよびシャッタボックス２Ａの形状が異なる。図８は、第２実施形態で、シャッタボックス２Ａを壁ブラケット３Ａに載せた状態を示す左側面図である。また、図９は、第２実施形態で、シャッタボックス２Ａが所定の取付位置に案内された状態を示す左側面図である。
【００６６】
第２実施形態の壁ブラケット３Ａは、取付板部３１、被係止部３２、被係合部３４、および図略の被固定部からなる。取付板部３１および被係止部３２の形状は、第１実施形態と同様であるので、説明は省略する。被係合部３４は、取付板部３１の上側に連なる金属製板材の部位が曲げ加工されて形成されている。被係合部３４は、水平部３４１および離脱防止部３４２からなる。水平部３４１は、取付板部３１の上端に連なり、建物壁９９から離れる前方に向かい水平に延在している。水平部３４１の前端が上方に屈曲されて離脱防止部３４２となっている。また、図略の被固定部は、第１実施形態の固定用雌ねじ３３４が穿設された被固定部３３３に類似している。
【００６７】
シャッタボックス２Ａの構成に関して、第１〜第３アングル部材２６〜２８、正面カバー２３、巻取軸２４、および電動駆動装置２５は第１実施形態と同様であり、サイドブラケット２１Ａの形状の一部が第１実施形態と異なる。第２実施形態のサイドブラケット２１Ａは、第１実施形態と同様に、アングル固定孔２１６、２１７、２１８をもつとともに、下縁２１３の後方寄りに係止部４が形成されている。
【００６８】
しかしながら、サイドブラケット２１Ａは、係合部に相当する孔形成部５を有さない。代わりに、第１アングル部材２６が係合部を兼ねる。また、サイドブラケット２１Ａは、図略の固定部を有する。固定部の形状は、第１実施形態の固定孔６１が穿設された固定部６に類似している。さらに、固定ねじ６２を用いて壁ブラケット３Ａにシャッタボックス２Ａを固定する点も、第１実施形態と同様である。
【００６９】
次に、第２実施形態で、壁ブラケット３Ａにシャッタボックス２Ａを取り付ける手順について説明する。シャッタボックス２Ａを概ね水平姿勢に保ちつつ、左右の壁ブラケット３Ａの間に斜め上方から接近させると、図８に示される状態になる。これにより、壁ブラケット３Ａの案内側傾斜部３２２にシャッタボックス２Ａのサイドブラケット２１Ａの係止側傾斜部４２を載せることができる。同時に、シャッタボックス２Ａの第１アングル部材２６を、壁ブラケット３Ａの被係合部３４の水平部３４１の上方に配置できる。
【００７０】
このとき、第１アングル部材２６は、水平部３４１の上方で建物壁９９と直交する前後方向に相対変位可能となっているので、シャッタボックス２Ａの姿勢には自由度がある。なおかつ、第１アングル部材２６は、離脱防止部３４２によって離脱が防止されるので、シャッタボックス２Ａの落下を防止できる。そして、図８の状態でシャッタボックス２Ａの荷重は、係止側傾斜部４２から案内側傾斜部３２２に作用する。これにより、係止側傾斜部４２は、案内側傾斜部３２２を斜め下方に滑動する。したがって、シャッタボックス２Ａは、自重により斜め下方に案内されて建物壁９９の方向へ引き寄せられる。
【００７１】
この結果、図９に示されるように、シャッタボックス２Ａは、所定の取付位置まで案内される。所定の取付位置で、係止側傾斜部４２と案内側傾斜部３２２とは広い面積で接触し、係止側水平部４３と案内側水平部３２１とは面接触する。また、第１アングル部材２６は、水平部３４１の上面に当接して支承される。そして、固定ねじ６２を用いて図略の被固定部および固定部を締結する固定作業により、シャッタボックス２Ａは、最終的に取付位置に固定される。
【００７２】
第２実施形態のシャッタボックスの取付構造１Ａでも、シャッタボックス２Ａを壁ブラケット３Ａに取り付ける途中で、シャッタボックス２Ａを押し上げる必要がない。また、シャッタボックス２Ａの左右で、取り付けのタイミングを合わせる必要がない。したがって、シャッタボックス２Ａのサイズや取付位置の高さに関係なく、取付作業が容易であり、取付所要時間が短縮される。また、取付位置が高所であっても、シャッタボックス２Ａが壁ブラケット３Ａに係止された状態で固定作業を行えるので作業安全性が良好である。加えて、シャッタボックス２と建物壁９９との間に隙間を確保でき、建物壁９９を損傷するおそれが殆ど無くなる。
【００７３】
さらに、シャッタボックス２を構成する第１アングル部材２６が係合部を兼ねており、被係合部３４は、建物壁９９から離れる前方に延在して第１アングル部材２６の下側に配置可能である水平部３４１を有するとともに、被係合部３４の先端が屈曲されて第１アングル部材２６の離脱を防止する離脱防止部３４２になっている。
【００７４】
これによれば、第１アングル部材２６は、被係合部３４の上側に配置され、離脱防止部３４２によって離脱が防止される。したがって、シャッタボックス２Ａの落下を確実に防止でき、作業安全性がさらに一層向上する。また、シャッタボックス２Ａが有する係合部として専用の部材が不要となるので、シャッタボックス２Ａの構造が簡素化される。
【００７５】
次に、第１実施形態のシャッタボックスの取付構造を変形した第３および第４実施形態について、第１実施形態と異なる点を主に説明する。図１０は、第３実施形態のシャッタボックスの取付構造１Ｂで、シャッタボックス２Ｂを壁ブラケット３に載せた状態を示す左側面図である。第３実施形態では、シャッタボックス２Ｂのサイドブラケット２１Ｂの係止部４Ｂの形状が第１実施形態と異なり、その他は第１実施形態と同様である。
【００７６】
第３実施形態のサイドブラケット２１Ｂの係止部４Ｂは、凹部４１、係止側水平部４４、および係止側垂直部４５からなる。凹部４１は、サイドブラケット２１Ｂの下縁２１３が上向きに窪んで形成されている。凹部４１の後端に連なって、下縁２１３が水平な係止側水平部４４が形成されている。係止側水平部４４の後端に連なって、係止側垂直部４５が形成されている。係止側垂直部４５は、下方に突出している。係止側垂直部４５の後端は、後縁２１４の下端に連なっている。係止側垂直部４５の下方突出端は、壁ブラケット３の案内側傾斜部３２２に摺動して、斜め下方に案内される。
【００７７】
第３実施形態のシャッタボックスの取付構造１Ｂでは、係止側垂直部４５が案内側傾斜部３２２に案内されることで、シャッタボックス２Ｂが建物壁９９の方向へ引き寄せられて壁ブラケット３に係止される。したがって、第３実施形態でも、第１実施形態と同様に、取付作業が容易であり、取付所要時間が短縮され、さらには、作業安全性が良好である。
【００７８】
また、図１１は、第４実施形態のシャッタボックスの取付構造１Ｃで、シャッタボックス２Ｃを壁ブラケット３Ｃに載せた状態を示す左側面図である。第４実施形態で、シャッタボックス２は第１実施形態と同じ形状であり、サイドブラケット２１Ｃの一部の部位の機能および名称が異なる。第４実施形態のサイドブラケット２１Ｃは、下縁２１３の段差の高い側の後方寄りに被係止部７が形成されている。被係止部７は、前方から後方に並んで形成された凹部７１、案内側傾斜部７２、および案内側水平部７３からなる。凹部７１、案内側傾斜部７２、および案内側水平部７３の形状は、第１実施形態の凹部４１、係止側傾斜部４２、および係止側水平部４３の形状にそれぞれ等しい。
【００７９】
一方、第４実施形態の壁ブラケット３Ｃは、取付板部３１、係止部３５、および腕部３３からなる。取付板部３１および腕部３３の形状は、第１実施形態と同様であるので、説明は省略する。係止部３５は、取付板部３１の下側に連なる金属製板材の部位が曲げ加工されて形成されている。係止部３５は、係止側水平部３５１および係止側垂直部３５２からなる。係止側水平部３５１は、取付板部３１の下端に連なり、建物壁９９から離れる前方に水平に折り曲げられた形状に形成されている。係止側水平部３５１の前端に連なって係止側垂直部３５２が形成されている。係止側垂直部３５２は、垂直上方に向かって突出している。係止側垂直部３５２の上方突出端は、壁ブラケット３Ｃの案内側傾斜部７２に摺動して、案内側傾斜部７２を斜め下方に案内する。
【００８０】
第４実施形態のシャッタボックスの取付構造１Ｃでは、係止側垂直部３５２が案内側傾斜部７２に摺動することで、シャッタボックス２Ｃが建物壁９９の方向へ引き寄せられて壁ブラケット３Ｃに係止される。したがって、第４実施形態でも、第１実施形態と同様に、取付作業が容易であり、取付所要時間が短縮され、さらには、作業安全性が良好である。
【００８１】
次に、図１２は、第５実施形態のシャッタボックスの取付構造１Ｄを模式的に示す左側面図である。第５実施形態のシャッタボックスの取付構造１Ｄは、左右一対の壁ブラケット３Ｄおよびシャッタボックス２Ｄからなる。壁ブラケット３Ｄは、前側の上方寄りに被係止部８１を有し、前側の下方寄りに被固定部８２を有している。一方、シャッタボックス２Ｄは、後側の上方寄りに係止部８３を有し、後側の下方寄りに固定部８４を有している。
【００８２】
被係止部８１および係止部８３の形状は、第１実施形態の被係止部３２および係止部４に一致させることができる。また、被固定部８２および固定部８４の形状は、第１実施形態の被固定部３３３および固定部６に一致させることができる。このように構成すれば、係止部８３は被係止部８１の上面を斜め下方に滑動するので、シャッタボックス２Ｄは、建物壁９９の方向へ引き寄せられて壁ブラケット３Ｄに係止される。また、被固定部８２および固定部８４での固定作業により、最終的にシャッタボックス２Ｄを取付位置に固定できる。
【００８３】
第５実施形態でも、第１実施形態と同様に、取付作業が容易であり、取付所要時間が短縮され、さらには、作業安全性が良好である。なおかつ、第１実施形態と異なり、凸部３３２に例示された被係合部および孔形成部５に例示された係合部を有さずとも、取付作業の途中でシャッタボックス２Ｄが落下するおそれは生じない。
【００８４】
次に、図１３は、第６実施形態のシャッタボックスの取付構造１Ｅを模式的に示す左側面図である。第６実施形態のシャッタボックスの取付構造１Ｅは、左右一対の壁ブラケット３Ｅおよびシャッタボックス２Ｅからなる。壁ブラケット３Ｅは、前側の上方寄り及び下方寄りに被係止部８１を有し、かつ図略の被固定部を有している。一方、シャッタボックス２Ｅは、後側の上方寄り及び下方寄りに係止部８３を有し、かつ図略の固定部を有している。
【００８５】
２組の被係止部８１および係止部８３の形状は、第１実施形態の被係止部３２および係止部４に一致させることができる。このように構成すれば、２組の係止部８３はそれぞれ被係止部８１の上面を斜め下方に滑動するので、シャッタボックス２Ｅは、建物壁９９の方向へ引き寄せられ壁ブラケット３Ｅに係止される。また、図略の被固定部および固定部での固定作業により、最終的にシャッタボックス２Ｅを取付位置に固定できる。
【００８６】
第６実施形態でも、第１実施形態と同様に、取付作業が容易であり、取付所要時間が短縮され、さらには、作業安全性が良好である。なおかつ、第５実施形態と同様に、被係合部および係合部を有さずとも、取付作業の途中でシャッタボックス２Ｅが落下するおそれは生じない。
【００８７】
次に、図１４は、第７実施形態のシャッタボックスの取付構造１Ｆを模式的に示す左側面図である。第７実施形態のシャッタボックスの取付構造１Ｆは、左右一対の壁ブラケット３Ｆおよびシャッタボックス２Ｆからなる。壁ブラケット３Ｆは、前側の下方寄りに被係止部８１を有し、前側の上方寄りに被係合部８５を有し、かつ図略の被固定部を有している。一方、シャッタボックス２Ｆは、後側の下方寄りに係止部８３を有し、後側の上方寄りに係合部８６を有し、かつ図略の固定部を有している。
【００８８】
被係止部８１および係止部８３の形状は、第１実施形態の被係止部３２および係止部４に一致させることができる。被係合部８５は、壁ブラケット３Ｆの上部が前方に折れ曲がり、さらに下方に折れ曲がって、下向きに開口するように形成できる。また、係合部８６は、シャッタボックス２Ｆの後側の下方寄りから後方に突出し、さらに上方に折れ曲がるように形成できる。このように構成すれば、図１４に示されるように、シャッタボックス２Ｆの上側を先に壁ブラケット３Ｆに近づけて、係合部８６を被係合部８５に下方から係入できる。
【００８９】
その後、シャッタボックス２Ｆを下げることにより、係止部８３の下端を被係止部８１の上端に載せることができる。すると、係止部８３は被係止部８１の上面を斜め下方に滑動するので、シャッタボックス２Ｆは、建物壁９９の方向へ引き寄せられて壁ブラケット３Ｄに係止される。また、図略の被固定部および固定部での固定作業により、最終的にシャッタボックス２Ｆを取付位置に固定できる。
【００９０】
第７実施形態でも、取付作業が容易であり、取付所要時間が短縮され、さらには、作業安全性が良好である。
【００９１】
なお、本発明は、上述した第１〜第７実施形態の構成に限定されない。例えば、第１、第３、および第４実施形態で、孔形成部を壁ブラケット３、３Ｃに設け、下方に突出する凸部をサイドブラケット２１、２１Ｂに設けてもよい。この態様では、サイドブラケット２１、２１Ｂの凸部が壁ブラケット３、３Ｃの孔形成部の長孔に上側から係入して、シャッタボックス２、２Ｂの落下が防止される。本発明は、その他にも様々な応用や変形が可能である。
【符号の説明】
【００９２】
１、１Ａ〜１Ｆ：シャッタボックスの取付構造
２、２Ａ、２Ｂ、２Ｄ〜２Ｆ：シャッタボックス
２１、２１Ａ、２１Ｂ、２２：サイドブラケット    ２３：正面カバー
２４：巻取軸    ２５：電動駆動装置    ２６〜２８：第１〜第３アングル部材
３、３Ａ、３Ｃ〜３Ｆ：壁ブラケット    ３１：取付板部    ３２：被係止部
３２１：案内側水平部    ３２２：案内側傾斜部    ３３：腕部
３３２：凸部（被係合部）    ３３３：被固定部    ３４：被係合部
３４１：水平部    ３４２：離脱防止部    ３５：係止部
３５１：係止側水平部    ３５２：係止側垂直部
４、４Ｂ：係止部    ４１：凹部    ４２：係止側傾斜部    ４３：係止側水平部
４４：係止側水平部    ４５：係止側垂直部
５：孔形成部（係合部）    ５１：長孔
６：固定部    ６２：固定ねじ
７：被係止部    ７１：凹部    ７２：案内側傾斜部    ７３：案内側水平部
８１：被係止部    ８２：被固定部    ８３：係止部    ８４：固定部
８５：被係合部    ８６：係合部
９：シャッタ装置    ９１：シャッタカーテン    ９９：建物壁
【図１】
2015117556.tif 000003
【図２】
2015117556.tif 000004
【図３】
2015117556.tif 000005
【図４】
2015117556.tif 000006
【図５】
2015117556.tif 000007
【図６】
2015117556.tif 000008
【図７】
2015117556.tif 000009
【図８】
2015117556.tif 000010
【図９】
2015117556.tif 000011
【図１０】
2015117556.tif 000012
【図１１】
2015117556.tif 000013
【図１２】
2015117556.tif 000014
【図１３】
2015117556.tif 000015
【図１４】
2015117556.tif 000016